(57)【要約】【課題】ホストコンピュータまたは中央処理装置からの制御データの処理遅延を抑制した照明制御システムを提供する。【解決手段】それぞれの中央制御装置２に設けられた第２の制御部１８は、中央処理装置３から送出された伝送データを少なくともモード、アドレスおよび制御データを同一状態で伝送線用の送信信号に変換して監視端末器７および制御端末器８に送出するとともに、監視端末器７および制御端末器８から送信された送信信号を少なくともモード、アドレスおよび監視データを同一状態でローカルエリアネットワーク用の伝送データに変換して中央処理装置３に送出するように形成される。【選択図】図１
2004185877.tif 000002
【特許請求の範囲】
【請求項１】
それぞれ伝送線を介して複数の監視端末器および複数の制御端末器を接続している複数の中央制御装置と；
伝送データの伝送速度が伝送線での伝送速度以上であるローカルエリアネットワークを介して複数の中央制御装置に接続されている中央処理装置と；
中央処理装置に設けられ、モード、アドレスおよび制御データを含む伝送データをそれぞれの中央制御装置に送出するとともに、中央制御装置から送信されたモード、アドレスおよび監視データを含む伝送データを入力する第１の制御部と；
それぞれの中央制御装置に設けられ、中央処理装置から送出された伝送データを少なくともモード、アドレスおよび制御データを同一状態で伝送線用の送信信号に変換して監視端末器および制御端末器に送出するとともに、監視端末器および制御端末器から送信された送信信号を少なくともモード、アドレスおよび監視データを同一状態でローカルエリアネットワーク用の伝送データに変換して中央処理装置に送出する第２の制御部と；
それぞれの中央制御装置に設けられ、設定された自己、監視端末器および制御端末器のそれぞれのアドレスおよび各種設定データを記憶する不揮発性メモリと；
を具備していることを特徴とする照明制御システム。
【請求項２】
中央処理装置は、それぞれの中央制御装置にヘルスチェック信号を送信し、それぞれの中央制御装置は、ヘルスチェック信号に応答する応答信号を返信するように構成されており、中央処理装置は、中央制御装置からの応答信号の有無に応じて中央制御装置の動作状態を判断し、中央制御装置は、所定期間、中央処理装置からのヘルスチェック信号を受信しないときに中央処理装置が異常状態であると判断して、不揮発性メモリに記憶された各種設定データに基づいて監視端末器および制御端末器を制御することを特徴とする請求項１記載の照明制御システム。
【請求項３】
中央処理装置は、ローカルエリアネットワークを介してシステム全体を統括管理するホストコンピュータに接続され、このホストコンピュータとの間で標準化された通信プロトコルにより通信することを特徴とする請求項１または２記載の照明制御システム。
【発明の詳細な説明】
【０００１】
【発明の属する技術分野】本発明は、中央処理装置から伝送される制御データにより照明負荷の点灯状態が制御可能な照明制御システムに関する。
【０００２】
【従来の技術】ホストコンピュータに接続された中央処理装置に多重伝送ラインを介して複数の中央制御装置が接続され、それぞれの中央制御装置に別の多重伝送ラインを介して制御端末器および監視端末器が接続された照明制御システムが使用されている。このような照明制御システムにおいて、中央制御装置は、監視端末器での操作や自己に設定されたタイムスケジュールに応じた制御端末器の制御（照明制御）を行っている。ここで、ホストコンピュータまたは中央処理装置から制御端末器の制御データが送出されると、中央制御装置は、当該制御データを制御端末器に伝送するためにデータ変換を行うので、制御量（処理量）が膨大となり、処理時間の遅延が発生することがあった。
【０００３】
このような問題点を解消するものとして、ホストコンピュータからパターン制御のための設定データを伝送し、中央制御装置側でパターン制御の設定データの記憶、書換えを行い、通信負荷の膨大化を防止しているものがある（例えば、特許文献１参照。）。また、中央制御装置は、各端末器とのデータ伝送を優先して行い、各端末器とのデータ伝送要求のない場合にホストコンピュータとの通信を行うものがある（例えば、特許文献２参照。）。
【０００４】
【特許文献１】特開平７−３２２３６２号公報（第３頁、第１図）
【０００５】
【特許文献２】特許第３０１９１０３号公報（第２頁、第１図）
【０００６】
【発明が解決しようとする課題】特許文献１は、やはりホストコンピュータまたは中央処理装置から制御端末器の制御データが送出されると、制御データの処理量が多く、処理時間が遅延するおそれがある。また、特許文献２は、各端末器の操作時、ホストコンピュータまたは中央処理装置から制御端末器を制御、監視することができないという欠点を有する。
【０００７】
本発明は、ホストコンピュータまたは中央処理装置からの制御データの処理遅延を抑制した照明制御システムを提供することを目的とする。
【０００８】
【課題を解決するための手段】請求項１に記載の照明制御システムの発明は、それぞれ伝送線を介して複数の監視端末器および複数の制御端末器を接続している複数の中央制御装置と；伝送データの伝送速度が伝送線での伝送速度以上であるローカルエリアネットワークを介して複数の中央制御装置に接続されている中央処理装置と；中央処理装置に設けられ、モード、アドレスおよび制御データを含む伝送データをそれぞれの中央制御装置に送出するとともに、中央制御装置から送信されたモード、アドレスおよび監視データを含む伝送データを入力する第１の制御部と；それぞれの中央制御装置に設けられ、中央処理装置から送出された伝送データを少なくともモード、アドレスおよび制御データを同一状態で伝送線用の送信信号に変換して監視端末器および制御端末器に送出するとともに、監視端末器および制御端末器から送信された送信信号を少なくともモード、アドレスおよび監視データを同一状態でローカルエリアネットワーク用の伝送データに変換して中央処理装置に送出する第２の制御部と；それぞれの中央制御装置に設けられ、設定された自己、監視端末器および制御端末器のそれぞれのアドレスおよび各種設定データを記憶する不揮発性メモリと；を具備していることを特徴とする。
【０００９】
伝送線は、中央制御装置と監視端末器および制御端末器との間を接続するものであり、中央制御装置は、この伝送線に接続された監視端末器および制御端末器を監視制御するものである。
【００１０】
監視端末器は、例えば、オンオフスイッチやセンサ入力用端末器等を備えたものであり、制御端末器は、接続された照明用ランプを点灯制御するものまたは制御用の信号を送出するものである。また、監視端末器および制御端末器は、それぞれ調光制御機能を備えた調光用監視端末器および調光用制御端末器であってもよい。
【００１１】
「伝送データの少なくともモード、アドレスおよび制御データを同一状態で」または「送信信号の少なくともモード、アドレスおよび監視データを同一状態で」とは、それぞれローカルエリアネットワークおよび伝送線に伝送されるデータ態様（フォーマット）が同一であることを意味する。すなわち、中央制御装置の第２の制御部でデータ変換されないことを意味する。
【００１２】
ローカルエリアネットワークを伝送する伝送データの伝送速度が伝送線を伝送する送信信号の伝送速度以上となることで、ローカルエリアネットワークおよび伝送線に伝送される伝送データおよび送信信号を同一状態にすることができる。
【００１３】
本発明によれば、中央処理装置から送出された伝送データは、少なくともモード、アドレスおよび制御データが同一状態で伝送線用の送信信号に変換され、監視端末器および制御端末器から送信された送信信号は、少なくともモード、アドレスおよび監視データが同一状態でローカルエリアネットワーク用の伝送データに変換されるので、中央制御装置におけるデータ変換の処理量が減少し、処理時間が短縮されて制御動作または監視動作の遅延が抑制される。
【００１４】
請求項２に記載の照明制御システムの発明は、請求項１記載の照明制御システムにおいて、中央処理装置は、それぞれの中央制御装置にヘルスチェック信号を送信し、それぞれの中央制御装置は、ヘルスチェック信号に応答する応答信号を返信するように構成されており、中央処理装置は、中央制御装置からの応答信号の有無に応じて中央制御装置の動作状態を判断し、中央制御装置は、所定期間、中央処理装置からのヘルスチェック信号を受信しないときに中央処理装置が異常状態であると判断して、不揮発性メモリに記憶された各種設定データに基づいて監視端末器および制御端末器を制御することを特徴とする。
【００１５】
中央処理装置または中央制御装置の異常状態には、ローカルエリアネットワークの異常も包含される。
【００１６】
本発明によれば、中央制御装置は、所定期間、中央処理装置からのヘルスチェック信号を受信しないときに、不揮発性メモリに記憶された各種設定データに基づいて監視端末器および制御端末器を制御するので、中央処理装置またはローカルエリアネットワークに異常が発生しても、照明制御の継続が可能である。
【００１７】
請求項３に記載の照明制御システムの発明は、請求項１または２記載の照明制御ステムにおいて、中央処理装置は、ローカルエリアネットワークを介してシステム全体を統括管理するホストコンピュータに接続され、このホストコンピュータとの間で標準化された通信プロトコルにより通信することを特徴とする。
【００１８】
本発明によれば、ホストコンピュータから監視端末器および制御端末器を制御または監視する伝送データが送出されて、照明制御または照明監視が可能である。
【００１９】
【発明の実施の形態】以下、本発明の一実施の形態について、図面を参照して説明する。図１は、本発明の一実施の形態を示す照明制御システムの構成ブロック図、図２は、同じく中央処理装置の構成ブロック図、図３は、同じく中央制御装置の構成ブロック図、図４は、同じく伝送データの説明図である。図中、１は照明制御システム、２は中央制御装置、３は中央処理装置、４はホストコンピュータ、５は外部設定器である。
【００２０】
図１において、照明制御システム１は、複数の中央制御装置２を有しており、中央制御装置２は、例えば照明ゾーン毎に一台設置され、それぞれ伝送線６を介して複数の監視端末器７および複数の制御端末器８を接続している。そして、中央処理装置３は、ハブ９およびクローズなローカルエリアネットワーク（ＬＡＮ）１０を介して複数の中央制御装置２に接続され、オープンなローカルエリアネットワーク（ＬＡＮ）１１を介してホストコンピュータ４に接続されている。そして、ローカルエリアネットワーク（ＬＡＮ）１０およびローカルエリアネットワーク（ＬＡＮ）１１を伝送する伝送データの伝送速度は、伝送線６を伝送する送信信号の伝送速度以上となっている。
【００２１】
中央制御装置２は、伝送線６に接続された監視端末器７および制御端末器８を介して照明用ランプ（照明負荷）１２を監視制御する。中央処理装置３は、中央制御装置２と伝送データの送受し、照明用ランプ１２を監視制御する。そして、ホストコンピュータ４は、システム全体を統括管理するものであり、中央処理装置３との間で標準化された通信プロトコルにより通信するように構成され、照明用ランプ１２を監視制御する。
【００２２】
伝送線６は、複極（±２４Ｖ）の時分割多重信号で示されたデータを送受信する伝送線である。
【００２３】
監視端末器７は、例えば、オンオフ操作に応じて出力信号を生成する信号出力機能を備えたスイッチや光センサの検出信号に応じて出力信号を生成する信号出力機能を備えたセンサ入力用端末器等であり、調光制御機能を有する監視端末器も包含される。制御端末器８は、調光制御機能を有する制御端末器も包含され、接続された照明用ランプ１２を点灯制御する。
【００２４】
そして、外部設定器５は、監視端末器７に設けられたジャック（図示しない。）に接続されている。外部設定器５は、中央制御装置２、監視端末器７および制御端末器８のアドレスの設定、または制御端末器８の点灯パターンの割付データおよび制御データを含む各種データ等の設定を行い、中央制御装置２の後述の不揮発性メモリに記憶させる。なお、外部設定器５は、制御端末器８、中央制御装置２または伝送線６に着脱可能に接続することもできる。
【００２５】
また、外部設定器５は、監視端末器７と制御端末器８を対応付けることができる。例えば、ある監視端末器７によってオンオフ制御または調光制御される制御端末器８のグループを割付けるなどして、点灯パターンの割付データ（制御データ）をパターンアドレスと共に設定可能である。
【００２６】
そして、中央処理装置３は、図２に示すように、電源部１３、第１の制御部１４、通信インターフェース（Ｉ／Ｆ）部１５および伝送インターフェース（Ｉ／Ｆ）部１６などが設けられている。電源部１３は、図示しない外部電源から入力され、第１の制御部１４などに電源を供給して動作させる。第１の制御部１４は、マイコンを有して構成され、モード、アドレスおよび制御データを含む伝送データをそれぞれの中央制御装置２に送出し、中央制御装置２からモード、アドレスおよび監視データを含む伝送データが入力される。
【００２７】
通信インターフェース（Ｉ／Ｆ）部１５は、ローカルエリアネットワーク（ＬＡＮ）１１を介してホストコンピュータ４に接続され、ホストコンピュータ４との間で標準化された通信プロトコルにより、伝送データの通信を行うものである。また、伝送インターフェース（Ｉ／Ｆ）部１６は、ハブ９およびローカルエリアネットワーク（ＬＡＮ）１０を介してそれぞれの中央制御装置２に接続され、モード、アドレスおよび制御データを含む伝送データを中央制御装置２に送出し、中央制御装置２から送信されたモード、アドレスおよび監視データを含む伝送データを受信するものである。
【００２８】
また、第１の制御部１４は、一定期間例えば１０秒毎にそれぞれの中央制御装置２にヘルスチェック信号を送信（伝送）し、中央制御装置２からヘルスチェック信号に応答する応答信号を受信するように構成されている。そして、この応答信号の有無に応じて中央制御装置２の動作状態を判断する。すなわち、応答信号を受信しないときには上記伝送データの送信を停止させ、応答信号を受信するときに上記伝送データを送信させる。
【００２９】
そして、それぞれの中央制御装置２は、図３に示すように、電源部１７、第２の制御部１８、不揮発性メモリ１９、第１の伝送インターフェース（Ｉ／Ｆ）部２０および第２の伝送インターフェース（Ｉ／Ｆ）部２１などが設けられている。電源部１７は、図示しない外部電源から入力され、第２の制御部１８などに電源を供給して動作させる。不揮発性メモリ１９は、自己のアドレス、監視端末器７および制御端末器８のアドレス、外部設定器５で設定された制御端末器８の点灯パターンの割付データおよび監視端末器７に対する制御端末器８の割付データなどの各種設定データを記憶するように構成されている。
【００３０】
第１の伝送インターフェース（Ｉ／Ｆ）部２０は、中央処理装置３の第１の制御部１４から伝送される伝送データを入力して第２の制御部１８に伝送するとともに、第２の制御部１８で演算生成された伝送データを中央処理装置３側に伝送させるものである。また、第２の伝送インターフェース（Ｉ／Ｆ）部２１は、第２の制御部１８で演算生成された送信信号を監視端末器７および制御端末器８に送信するとともに、監視端末器７および制御端末器８から送信された監視データなどの送信信号を入力して第２の制御部１８に伝送するものである。
【００３１】
第２の制御部１８は、マイコンを有して構成され、中央処理装置３から送出された伝送データを伝送線６で伝送し、監視端末器７および制御端末器８を制御監視可能な送信信号に変換するとともに、監視端末器７および制御端末器８から送信された送信信号をローカルエリアネットワーク（ＬＡＮ）１０で中央処理装置３に伝送可能な伝送データに変換するように構成されている。ここで、第２の制御部１８は、伝送データのうち、少なくともモード、アドレスおよび制御データを同一状態で伝送線６用の送信信号に変換し、返信信号のうち、少なくともモード、アドレスおよび監視データを同一状態でローカルエリアネットワーク（ＬＡＮ）１０用の伝送データに変換するものである。
【００３２】
伝送データ２２は、図４に示すように、伝送データ２２の始まりを示すスタート部２３、制御や監視などを示すモード部２４、監視端末器７および制御端末器８の伝送先を示すアドレス部２５、制御値を示す制御データ部２６および監視応答値を示す応答データ部２７を有して形成されている。ここで、モード部２４、アドレス部２５および制御データ部２６のそれぞれのデータ態様がローカルエリアネットワーク（ＬＡＮ）１０，１１および伝送線６に伝送されるときに同一状態であると、中央制御装置２の第２の制御部１８におけるデータ変換の処理量が低減される。また、監視端末器７から送信される送信信号に対しても、上記制御データを監視データに置き換えると、以下、同様である。これにより、中央制御装置２における処理時間が短縮され、監視端末器７および制御端末器８の制御動作または監視動作の遅延が抑制される。
【００３３】
また、第２の制御部１８は、中央処理装置３から送信されたヘルスチェック信号に応答する応答信号を中央処理装置３に返信するように構成されている。そして、一定期間例えば１分、中央処理装置３から送信されるヘルスチェック信号を受信しないときには、中央処理装置３またはローカルネットワーク（ＬＡＮ）１０が異常状態と判断する。そして、このとき、それぞれの中央制御装置２は、不揮発性メモリ１９に記憶されている制御端末器８の点灯パターンの割付データや監視端末器７に対する制御端末器８の割付データなどの各種設定データを読み出し、当該各種設定データに基づいて監視端末器７および制御端末器８を制御または監視するように構成されている。このようにして、それぞれの中央制御装置３が形成されている。
【００３４】
次に、本発明の一実施形態の作用について述べる。
【００３５】
ホストコンピュータ４または中央処理装置３から伝送データ２２が送出されると、中央制御装置２は、当該伝送データ２２のうち、少なくともモード、アドレスおよび制御データが同一状態で伝送線６用の送信信号を形成して監視端末器７および制御端末器８に送出する。また、監視端末器７および制御端末器８から送信信号が送信されると、中央制御装置２は、当該送信信号のうち、少なくともモード、アドレスおよび監視データが同一状態でローカルエリアネットワーク１０，１１用の伝送データ２２を形成して中央処理装置３またはホストコンピュータ４に送出する。
【００３６】
このモード、アドレスおよび制御データ（または監視データ）が同一状態とされることにより、中央制御装置２の第２の制御部１８におけるデータ変換の処理量が減少する。この結果、中央制御装置２でのデータ処理の時間が短縮されるので、監視端末器７および制御端末器８の制御動作または監視動作の遅延が抑制される。そして、監視端末器７により制御端末器８が制御されているときに、ホストコンピュータ４または中央処理装置３から監視端末器７および制御端末器８の制御動作または監視動作が遅延されることなく行える。また、同じく、中央処理装置３から監視端末器７および制御端末器８が制御または監視されているときに、ホストコンピュータ４から監視端末器７および制御端末器８の制御動作または監視動作、すなわち照明制御または照明監視が遅延されることなく行える。
【００３７】
そして、中央処理装置３は、それぞれの中央制御装置２のうち、ヘルスチェック信号に応答する応答信号が返信されない中央制御装置２の動作を異常と判断するので、ホストコンピュータ４または中央処理装置３から伝送データ２２を当該中央制御装置２へ送出することを停止することができる。また、中央制御装置２は、所定期間例えば１分、中央処理装置３からのヘルスチェック信号を受信しないときに中央処理装置３が異常状態であると判断して、外部設定器５により設定されて不揮発性メモリ１９に記憶された各種設定データに基づいて監視端末器７および制御端末器８を制御、監視するので、照明用ランプ１２による照明が継続される。
【００３８】
【発明の効果】請求項１の発明によれば、中央処理装置から送出された伝送データのうち、少なくともモード、アドレスおよび制御データが同一状態で伝送線用の送信信号に変換され、監視端末器および制御端末器から送信された送信信号のうち、少なくともモード、アドレスおよび監視データが同一状態でローカルエリアネットワーク用の伝送データに変換されるので、中央制御装置におけるデータ変換の処理量を減少させることができ、処理時間を短縮して監視端末器および制御端末器の制御動作または監視動作の遅延を抑制することができる。
【００３９】
請求項２の発明によれば、中央制御装置は、所定期間、中央処理装置からのヘルスチェック信号を受信しないときに、不揮発性メモリに記憶された各種設定データに基づいて監視端末器および制御端末器を制御するので、中央処理装置またはローカルエリアネットワークに異常が発生しても、監視端末器および制御端末器による照明制御および照明監視を継続することができる。
【００４０】
請求項３の発明によれば、ホストコンピュータから監視端末器および制御端末器を制御する伝送データを送出することにより、監視端末器および制御端末器の制御動作または監視動作が遅延することなく照明制御をすることができる。
【図面の簡単な説明】
【図１】本発明の一実施の形態を示す照明制御システムの構成ブロック図。
【図２】同じく、中央処理装置の構成ブロック図。
【図３】同じく、中央制御装置の構成ブロック図。
【図４】同じく、伝送データの説明図。
【符号の説明】
１…照明制御システム、２…中央制御装置、３…中央処理装置、４…ホストコンピュータ、１４…第１の制御部、１８…第２の制御部、１９…不揮発性メモリ
【図１】
2004185877.tif 000003
【図２】
2004185877.tif 000004
【図３】
2004185877.tif 000005
【図４】
2004185877.tif 000006